(57)【要約】【課題】交換を要さずに繰返し使用することができ、環境汚染を引起すことを防止することができる技術、を提供することを課題とする。【解決手段】イオン化傾向の大小異なる、金属、その合金、または、フェライト等で構成される陽極２および陰極３と、陽極２と陰極３とに接触するように陽極２と陰極３との間に配置されるとともに、水や海水等に浸された際に前記水や海水等を吸収することができる吸収体４と、を具備し、吸収体４が水や海水等を吸収した際に、前記水や海水等が電解液となって、発電を開始する、湿式電池１とする。【選択図】図１
2012075407.tif 000002
【特許請求の範囲】
【請求項１】
イオン化傾向の大小異なる、金属、その合金、または、フェライト等で構成される陽極および陰極と、
前記陽極と前記陰極とに接触するように前記陽極と前記陰極との間に配置されるとともに、水や海水等に浸された際に前記水や海水等を吸収することができる吸収体と、
を具備し、
前記吸収体が前記水や海水等を吸収した際に、前記水や海水等が電解液となって、発電を開始する、
湿式電池。
【請求項２】
請求項１に記載の湿式電池を備える、発光装置。
【請求項３】
請求項２に記載の発光装置を備える、疑似餌。
【発明の詳細な説明】
【技術分野】
【０００１】
本発明は、湿式電池、発光装置、および、疑似餌の技術に関する。
【背景技術】
【０００２】
従来、様々な装置や器具に用いられる電池に関する技術は、知られている。このような電池には、例えば、使用されるうちにその電圧が低下して製品寿命がくると、新しいものに交換するようにして用いられるものがある。そして、交換された電池の多くは、環境汚染を引起すことを防止するために、埋立てゴミとして処理される。
また、このような電池には、例えば、海や、川、湖、街路等の屋外において使用される種々の装置や器具等にも用いられているものがある（例えば、特許文献１参照）。
【先行技術文献】
【特許文献】
【０００３】
【特許文献１】特開２０１０−９４１０３号公報
【発明の概要】
【発明が解決しようとする課題】
【０００４】
しかしながら、このような屋外において使用される装置や器具等では、当該屋外においても新しい電池と交換される場合がある。そして、前記屋外において電池を交換した際に、その交換された電池を、当該屋外において投棄し、または、置き忘れてしまう場合がある。このように、屋外において電池を投棄し、また、置き忘れることにより、環境汚染を引起す虞がある。
【０００５】
即ち、本発明は以上の如き状況に鑑みてなされたものであり、交換を要さずに繰返し使用することができ、環境汚染を引起すことを防止することができる技術、を提供することを課題とする。
【課題を解決するための手段】
【０００６】
本発明の解決しようとする課題は以上の如くであり、次にこの課題を解決するための手段を説明する。
【０００７】
即ち、請求項１においては、イオン化傾向の大小異なる、金属、その合金、または、フェライト等で構成される陽極および陰極と、前記陽極と前記陰極とに接触するように前記陽極と前記陰極との間に配置されるとともに、水や海水等に浸された際に前記水や海水等を吸収することができる吸収体と、を具備し、前記吸収体が前記水や海水等を吸収した際に、前記水や海水等が電解液となって、発電を開始する、湿式電池とするものである。
【０００８】
請求項２においては、請求項１に記載の湿式電池を備える、発光装置とするものである。
【０００９】
請求項３においては、請求項２に記載の発光装置を備える、疑似餌とするものである。
【発明の効果】
【００１０】
本発明の効果として、以下に示すような効果を奏する。
即ち、本発明によれば、交換を要さずに繰返し使用することができ、環境汚染を引起すことを防止することができるものを提供することができる。
【図面の簡単な説明】
【００１１】
【図１】本発明の実施形態に係る湿式電池および発光装置を示した模式図。
【図２】（ａ）本発明の実施形態に係る湿式電池を示した斜視図、（ｂ）同じく斜視図。
【図３】本発明の実施形態に係る湿式電池および発光装置を示した模式図。
【図４】本発明の実施形態に係る湿式電池、発光装置、および、疑似餌を示した斜視図。
【図５】同じく一部拡大側面断面図。
【図６】本発明の実施形態に係る湿式電池、発光装置、および、釣用浮を示した斜視図。
【図７】本発明の実施形態に係る湿式電池、発光装置、および、ブイを示した斜視図。
【図８】本発明の実施形態に係る湿式電池、発光装置、および、電灯を示した正面断面模式図。
【発明を実施するための形態】
【００１２】
次に、図１から図８を用いて、本発明の実施形態について説明する。
【００１３】
図１に示すように、湿式電池１は、湿電池であり、陽極２および陰極３の電極と、吸収体４とを具備する。
湿式電池１の陽極２および陰極３は、それぞれ、イオン化傾向の大小異なる、金属、その合金、または、フェライト等で構成される。
湿式電池１の陽極２は、イオン化傾向の比較的小さい金属や、その合金、または、フェライト（例えば、銅、銀、または、これらを主とする合金）で構成される。
湿式電池１の陰極３は、イオン化傾向の比較的大きい金属や、その合金、または、フェライト（例えば、マグネシウム、アルミニウム、または、これらを主とする合金）で構成される。
【００１４】
湿式電池１の吸収体４は、これが水や海水等に浸された際に、当該水や海水等を吸収することができるものである。湿式電池１の吸収体４は、例えば、綿や、紙や、多孔質の不織布等の素材で構成される。
湿式電池１の吸収体４は、その陽極２と陰極３とに接触するように、陽極２と陰極３との間に配置される。
【００１５】
このように構成された湿式電池１は、その吸収体４が水や海水等に浸されて水や海水等を吸収した際に、当該水や海水等が電解液となって、発電を開始する。
電解液となる水や海水がなくなった場合（電解液がなくなった場合）には、再び、吸収体４に水や海水等を浸して吸収体４に水や海水等を吸収させることで、湿式電池１は再び発電を開始する。
したがって、湿式電池１によれば、交換を要さずに繰返しこれを使用することができ、引いては、環境汚染を引起すことを防止することができる。
【００１６】
また、湿式電池１は、その吸収体４が水を吸収した際にこれが電解液となるように、予め、塩化ナトリウムに代表される電解質を吸収体４に設けて構成してもよい。
このように湿式電池１が構成されることにより、その吸収体４が水に浸されて水を吸収した際に、より湿式電池１が発電を開始しやすくなる。
【００１７】
また、その吸収体４が陽極２および陰極３より突出するように、湿式電池１を構成してもよい。
例えば、図２（ａ）または図３に示すように、前記吸収体４が突出する湿式電池１では、その陽極２はマグネシウム素材からなる円柱状の部材で構成される。湿式電池１の陰極３は銅素材からなる平板状の部材で構成される。湿式電池１の吸収体４は陽極２を内部に嵌挿可能な有蓋筒状の不織布で構成される。
そして、湿式電池１の陽極２の外周面全体およびその一方の底面（上面）が覆われるようにして、吸収対の内部に陽極２が配置される。この際、湿式電池１の吸収体４は、陽極２と接触した状態となっている。
さらに、湿式電池１の吸収体４における蓋の部分が陽極２における一方の底面側方向（上方）に突出するようにして、当該吸収体４の外周面に陰極３が巻付けられる。この際、湿式電池１の吸収体４は、陰極３と接触した状態となっている。このようにして、湿式電池１の吸収体４は、その陽極２と陰極３とに接触するように陽極２と陰極３との間に配置される。
湿式電池１の陽極２には陽極端子２ａが、湿式電池１の陰極３には陰極端子３ａが、それぞれ、接続対象物（例えば、電球やＬＥＤやモータ等）に接続可能なように湿式電池１の外側に露出するようにして設けられる（図２（ａ）参照）。
このように構成された湿式電池１は、その全体形状が略円柱状に構成される。
以下において便宜上、湿式電池１の吸収体４における陽極２および陰極３より突出する部分は、吸収体４の突出部４ａと称する。
【００１８】
このように吸収体４の突出部４ａを有するように構成された湿式電池１では、吸収体４の突出部４ａに水や海水等を浸して、陽極２や陰極３に水や海水等が浸されることなく、容易に、吸収体４にのみ水や海水等を浸すことができる。
【００１９】
なお、湿式電池１は、より環境により優しい素材、例えば、陽極２がマグネシウム素材で構成され、陰極３が銅素材で構成されることが好ましい。
前記吸収体４の突出部４ａを有するように構成された湿式電池１は、図２（ｂ）に示すように、陽極２を平板状に、吸収体４を有底四角筒状に、それぞれ構成し、その全体の形状が略直方体状に構成してもよい。
湿式電池１では、吸収体４を陽極２に巻付けることによって、吸収対の内部に陽極２が配置されるように構成されてもよい。
【００２０】
また、湿式電池１では、陽極２を板状のマグネシウム素材からなる平板状の部材で構成して、陰極３を銅素材からなる円柱状の部材で構成してもよい。この際、湿式電池１の陰極３の外周面全体およびその一方の底面が覆われるようにして吸収体４の内部に陰極３が配置され、湿式電池１の吸収体４における蓋の部分が陽極２における一方の底面側方向（上方）に突出するようにして、当該吸収体４の外周面に陽極２が巻付けられる。
【００２１】
次に、湿式電池１を備える発光装置５について、説明する。
発光装置５は、湿式電池１と、電球やＬＥＤ等で構成される発光体６と、を備える（図１または図３参照）。発光装置５は、その湿式電池１が発電した際にその発光体６が発光するように構成される。
発光装置５の発光体６は、湿式電池１の陽極端子２ａおよび陰極端子３ａに接続されて、湿式電池１が発電した際に発光可能に構成されるものである。
【００２２】
このように構成された発光装置５では、湿式電池１の吸収体４が水や海水等に浸されて水や海水等を吸収した際に湿式電池１が発電を開始して、発光体６を点灯させる。このようにして、発電装置５では、その湿式電池１が発電した際に湿式電池１が発光するように構成される。
また、電解液となる水や海水がなくなった場合（電解液がなくなった場合）には、再び、湿式電池１の吸収体４に水や海水等を浸して吸収体４に水や海水等を吸収させることで、湿式電池１は再び発電を開始し、発光装置５の発光体６が発光する。
このようにして、発光装置５では、湿式電池１の交換を要さずに繰返し発光体６を発光させることができ、引いては、環境汚染を引起すことを防止した発光装置５を簡易構造で実現することができる。
なお、発光装置５が複数個の湿式電池１または発光体６を有する場合には、当該複数個の湿式電池１および／または発光体６を、直列に接続してもよく、また、並列に接続してもよい。
【００２３】
次に、発光装置５（湿式電池１）を備える、疑似餌１０、釣用浮２０、または、ブイ３０について説明する。
【００２４】
ここで、夜間に行う釣に用いられる疑似餌には、疑似餌への魚の食付きを向上させるために、その内部に電池や発光体等を配置して、当該疑似餌が発光するように構成されるものがある。また、夜間に行う釣に用いられる釣用浮には、魚の当りを釣人が目視で確認できるように、その内部に電池や発光体等を配置して、当該釣用浮が発光するように構成されるものがある。さらに、ブイには、夜間でも容易にこれを目視できるように、その内部に電池や発光体等を配置して、当該ブイが発光するように構成されるものがある。
【００２５】
そこで、発光装置５（湿式電池１）を備える、疑似餌１０、釣用浮２０、または、ブイ３０とする（図４〜図７参照）。
発光装置５を備えた疑似餌１０、釣用浮２０、または、ブイ３０は、その発光装置５における湿式電池１の吸収体４が水や海水等に浸されて水や海水等を吸収した際に湿式電池１が発電を開始して発光体６が発光し、疑似餌１０、釣用浮２０、または、ブイ３０が発光するように構成される。
このようにして、疑似餌１０、釣用浮２０、または、ブイ３０では、電池の交換を要さずに繰返し発光体６を発光させることができ、引いては、環境汚染を引起すことを防止することができるものとすることができる。
【００２６】
またこの際、疑似餌１０、釣用浮２０、または、ブイ３０は、水中（海中）や水面に投入された際に、湿式電池１の吸収体４が水（海水）を吸収するように構成してもよい。
水中（海中）や水面に投入された際に湿式電池１の吸収体４が水（海水）を吸収する疑似餌１０の構成について、図４および図５を用いて説明する。なお、係る構成の説明では、前記吸収体４が陽極２および陰極３より突出するように構成される略直方体状の湿式電池１（図２（ｂ）参照）を用いられるものとして説明する。
【００２７】
疑似餌１０は、魚釣用の疑似餌であり、図４または図５に示すように、発光装置５（湿式電池１）を備える。疑似餌１０の発光装置５は、疑似餌１０が水中（海中）や水面に投入された際に、湿式電池１の吸収体４が水（海水）を吸収することができるように、疑似餌１０に配置される。
【００２８】
疑似餌１０は、発光部１０ａを備える。疑似餌１０の発光部１０ａは、その発光装置５の発光体６が発光した際に、疑似餌１０における発光する部分である。
疑似餌１０の発光部１０ａは、その目の部分１３で構成される。
疑似餌１０の目の部分１３は、透明または半透明状に構成される。疑似餌１０は、発光装置５の発光体６が発光することによって、その目の部分１３（発光部１０ａ）が発光するように構成される。
【００２９】
疑似餌１０は、本体部１１と蓋部１２とから構成される。疑似餌１０は、その本体部１１と蓋部１２とで、全体として略魚形状に形成される。
【００３０】
疑似餌１０の本体部１１は、前記略魚形状の腹の部分（下部）の一部が切欠かれたような形状に形成される。
疑似餌１０の蓋部１２は、前記本体部１１における切欠かれた魚形状の腹の部分に相当するような形状に形成されて、当該本体部１１の切欠かれた部分に蓋をすることができるように構成される。
疑似餌１０は、その本体部１１における切欠かれた部分をその蓋部１２で蓋をするように、蓋部１２を配置することにより、全体的に略魚形状に構成される。
【００３１】
疑似餌１０は、電池配置部１５と、流入部１６と、壁部１８と、発光体配置部１４と、を有する。疑似餌１０では、その電池配置部１５と流入部１６と壁部１８とが、蓋部１２に配置され、発光体配置部１４が、本体部１１に配置される。
【００３２】
疑似餌１０の電池配置部１５は、湿式電池１を配置するためのものである。疑似餌１０の電池配置部１５は、蓋部１２が本体部１１に配置された際における本体部１１側（上方）の面のうち、尾側の部分が湿式電池１を配置可能なように切欠かれることによって形成される。
【００３３】
疑似餌１０の流入部１６は、蓋部１２が本体部１１に配置された際における本体部１１側（上方）の面のうち、頭側の部分が大きく下方に切欠かれることによって形成される。
疑似餌１０は、水や海水が流入孔１７から流入部１６に流入するように構成される。
疑似餌１０の流入孔１７は、蓋部１２が本体部１１に配置された際における本体部１１と反対側（下方）の面から流入部１６に至るように貫通して切欠かれて、蓋部１２の下方側（疑似餌１０の外側）の空間と流入部１６と連通するように、形成される。
【００３４】
疑似餌１０の壁部１８は、電池配置部１５と流入部１６とを遮断するように電池配置部１５と流入部１６との間に形成される。
疑似餌１０の壁部１８には、貫通孔１９が形成される。
疑似餌１０の壁部１８の貫通孔１９は、電池配置部１５と流入部１６とが連通するように形成される。
疑似餌１０の壁部１８の貫通孔１９は、電池配置部１５に配置された湿式電池１の前記吸収体４における陽極２および陰極３より突出部４ａを挿入可能なように形成される。
【００３５】
疑似餌１０の発光体配置部１４は、発光装置５の配線や発光体６等（蓋部１２の電池配置部１５に配置された湿式電池１に接続される配線や発光体６等）を配置するものである。疑似餌１０の発光体配置部１４は、その目の部分１３（発光部１０ａ）から、蓋部１２が本体部１１に配置された際の蓋部１２の電池配置部１５側に至るような空洞状に形成される。
【００３６】
このように構成された疑似餌１０に発光装置５を配置する際には、まず、疑似餌１０の蓋部１２における電池配置部１５に、湿式電池１における吸収体４の突出部４ａを、蓋部１２における壁部１８の貫通孔１９に嵌挿するようにして、湿式電池１を配置する。
この時、疑似餌１０の蓋部１２は、その電池配置部１５と流入部１６とが水密に構成されて、蓋部１２の電池配置部１５に配置された湿式電池１の陽極２および陰極３が、蓋部１２の流入部１６に流入した水によって濡れないように構成される。
そして、疑似餌１０の蓋部１２で、本体部１１における切欠かれた部分に蓋をするようにして、疑似餌１０の蓋部１２を配置する。この時、疑似餌１０の目の部分１３の内側に発光装置５の発光体６が配置されるように、疑似餌１０の本体部１１における発光体配置部１４内に発光装置５の配線や発光体６を配置する。
疑似餌１０は、疑似餌１０の本体部１１と蓋部１２とのつなぎ目から水が浸入しないように、水密に構成される。
【００３７】
このように構成された疑似餌１０では、これが水中（海中）や水面に投入された際に、水（海水）が、その蓋部１２における流入孔１７から流入部１６に流入する。そして、疑似餌１０の蓋部１２における壁部１８の貫通孔１９に嵌挿された前記湿式電池１における吸収体４の突出部４ａが、蓋部１２の流入部１６に流入した水（海水）に浸されて、吸収体４がこれを吸収する。当該湿式電池１の吸収体４によって吸収された水（海水）が電解液となって湿式電池１が発電を開始して、発光装置５の発光体６が発光し、疑似餌１０の目の部分１３（発光部１０ａ）が発光する。
【００３８】
このようにして、疑似餌１０では、これが水中（海中）や水面に投入された際に、発光装置５における湿式電池１の吸収体４が水（海水）を吸収することができ、発光装置５の発光体６を発光させることができる。
またこのように疑似餌１０を構成することにより、これが水中（海中）や水面に投入された際に、自動的に発光する疑似餌１０を、簡易構造で実現することができる。
【００３９】
なお、疑似餌１０は、その目の部分１３以外の部分が発光するように構成してもよく、全体的に発光するように構成してもよい。即ち、疑似餌１０の発光部１０ａは、その目の部分１３以外の部分やこれを含む部分（例えば、尾の部分）で構成してもよい。
【００４０】
水中（海中）や水面に投入された際に湿式電池１の吸収体４が水（海水）を吸収する釣用浮２０の構成について、図６を用いて説明する。なお、係る構成の説明では、前記吸収体４が陽極２および陰極３より突出するように構成される略円柱状の湿式電池１（図２（ａ）参照）を用いられるものとして説明する。
【００４１】
釣用浮２０は、釣用の浮であり、図６に示すように、発光装置５（湿式電池１）を備える。釣用浮２０の発光装置５は、釣用浮２０が水中（海中）や水面に投入された際に、湿式電池１の吸収体４が水（海水）を吸収することができるように、釣用浮２０に配置される。
【００４２】
釣用浮２０は、上下方向に長細く、上下中央部よりやや下方の部分が周方向に拡径したような形状に形成される。また、釣用浮２０は、その内部が上端部から下端部にかけて全体的に空洞状となるように形成される。
【００４３】
釣用浮２０は、発光部２０ａを備える。釣用浮２０の発光部２０ａは、その発光装置５の発光体６が発光した際に、釣用浮２０における発光する部分である。
釣用浮２０の発光部２０ａは、その上端の部分２３で構成される。
釣用浮２０の上端の部分２３は、透明または半透明状に構成される。釣用浮２０は、発光装置５の発光体６が発光することによって、当該上端の部分２３（発光部２０ａ）が発光するように構成される。
【００４４】
釣用浮２０は、本体部２１と蓋部２２とから構成される。
釣用浮２０の本体部２１は、前記拡径した部分を上下に二分した際における上方の部分で構成される。即ち、釣用浮２０の本体部２１は、前記発光する上端の部分２３を有する。
釣用浮２０の蓋部２２は、前記拡径した部分を上下に二分した際における下方の部分で構成される。
釣用浮２０は、その本体部２１における下端をその蓋部２２の上端で蓋をするように、蓋部２２を配置することにより、全体的に釣用の浮となるように構成される。
【００４５】
釣用浮２０は、電池配置部２５と、流入部２６と、壁部２８と、発光体配置部２４と、を有する。釣用浮２０では、その電池配置部２５と流入部２６と壁部２８とが、蓋部２２に配置され、発光体配置部２４が、本体部２１に配置される。
【００４６】
釣用浮２０の壁部２８は、蓋部２２内を上下に二分して遮断するようにして、蓋部２２内に配置される。
このように、釣用浮２０では、その壁部２８が配置されて形成される蓋部２２内の上方の部分が電池配置部２５として構成され、壁部２８が配置されて形成される蓋部２２内の下方の部分が流入部２６として構成される。
釣用浮２０の壁部２８の貫通孔２９は、電池配置部２５と流入部２６とが連通するように壁部２８の中央部に形成される。
釣用浮２０は、水や海水が流入孔２７から流入部２６に流入可能に構成される。
釣用浮２０の流入孔２７は、蓋部２２の下方の部分における外側の面から流入部２６に至るように貫通して形成されて、釣用浮２０の外側の空間と流入部２６と連通するように、形成される。
【００４７】
釣用浮２０の発光体配置部２４は、前記その空洞状の内部で構成される。即ち、釣用浮２０の本体部２１における発光体配置部２４は、その上端の部分２３（発光部２０ａ）の内部に及ぶように構成される。
【００４８】
このように構成された釣用浮２０に発光装置５を配置する際には、まず、釣用浮２０の蓋部２２における電池配置部２５に、湿式電池１における吸収体４の突出部４ａを釣用浮２０の蓋部２２における壁部２８の貫通孔２９に嵌挿するようにして、湿式電池１を配置する。
この時、釣用浮２０の蓋部２２は、その電池配置部２５と流入部２６とが水密に構成されて、蓋部２２の電池配置部２５に配置された湿式電池１の陽極２および陰極３が蓋部２２の流入部２６に流入した水によって濡れないように構成される。
そして、釣用浮２０の蓋部２２で、その本体部２１における下端をその蓋部２２の上端で蓋をするようにして蓋部２２を配置する。この時、釣用浮２０の上端の部分２３内に発光装置５の発光体６が配置されるように、釣用浮２０の本体部２１における発光体配置部２４内に発光装置５の配線や発光体６を配置する。
釣用浮２０は、その本体部２１と蓋部２２とのつなぎ目から水が浸入しないように、水密に構成される。
【００４９】
このように構成された釣用浮２０では、これが水中（海中）や水面に投入された際に、水（海水）が、その蓋部２２における流入孔２７から流入部２６に流入する。そして、釣用浮２０の蓋部２２における壁部２８の貫通孔２９に嵌挿された湿式電池１における吸収体４の突出部４ａが、蓋部２２の流入部２６に流入した水（海水）に浸されて、吸収体４がこれを吸収する。当該湿式電池１における吸収体４によって吸収された水（海水）が電解液となって湿式電池１が発電を開始して、発光装置５の発光体６が発光し、釣用浮２０の上端の部分２３（発光部２０ａ）が発光する。
【００５０】
このようにして、釣用浮２０では、これが水中（海中）や水面に投入された際に、発光装置５における湿式電池１の吸収体４が容易に水（海水）を吸収することができ、発光装置５の発光体６を発光させることができる。
またこのように釣用浮２０を構成することにより、これが水中（海中）や水面に投入された際に、自動的に発光する釣用浮２０を、簡易構造で実現することができる。
【００５１】
なお、釣用浮２０はその上端の部分２３以外の部分が発光するように構成してもよく、全体的に発光するように構成してもよい。即ち、釣用浮２０の発光部２０ａは、その上端の部分２３以外の部分やこれを含む部分（例えば、上下中途部）で構成してもよい。
【００５２】
水中（海中）や水面に投入された際に湿式電池１の吸収体４が水（海水）を吸収するブイ３０の構成について、図７を用いて説明する。なお、係る構成の説明では、前記吸収体４が陽極２および陰極３より突出するように構成される略円柱状の湿式電池１（図２（ａ）参照）を用いられるものとして説明する。
【００５３】
ブイ３０は、海面や湖面等に浮かべられて用いられるものであり、図７に示すように、発光装置５（湿式電池１）を備える。ブイ３０の発光装置５は、ブイ３０が水中（海中）や水面に投入された際に、湿式電池１の吸収体４が水（海水）を吸収することができるように、ブイ３０に配置される。
ブイ３０の発光装置５は、湿式電池１および発光体６をそれぞれ三つずつ有し、これらが接続されて構成される。
【００５４】
ブイ３０は、略球形状に形成される。また、ブイ３０は、その内部が全体的に空洞状となるように形成される。
【００５５】
ブイ３０は、発光部３０ａを備える。ブイ３０の発光部３０ａは、その発光装置５の発光体６が発光した際に、ブイ３０における発光する部分である。
ブイ３０の発光部３０ａは、その上方の部分３３で構成される。
ブイ３０の上方の部分３３は、透明または半透明状に構成される。ブイ３０は、発光装置５の発光体６が発光することによって、当該上方の部分３３（発光部３０ａ）が発光するように構成される。
【００５６】
ブイ３０は、本体部３１と蓋部３２とから構成される。
ブイ３０の本体部３１は、ブイ３０の上下中央部よりやや下方の部分においてこれを上下に二分した際における上方の部分で構成される。即ち、ブイ３０の本体部３１は、前記発光する上方の部分を有する。
ブイ３０の蓋部３２は、ブイ３０の上下中央部よりやや下方の部分においてこれを上下に二分した際における下方の部分で構成される。
ブイ３０は、その本体部３１における下端をその蓋部３２の上端で蓋をするように、蓋部３２を配置することにより、全体的に略球形状のブイ３０となるように構成される。
【００５７】
ブイ３０は、電池配置部３５と、流入部３６と、壁部３８と、発光体配置部３４と、を有する。ブイ３０では、その流入部３６と壁部３８とが、蓋部３２に配置され、電池配置部３５と発光体配置部３４とが、本体部３１に配置される。
ブイ３０の壁部３８は、蓋部３２の上端を覆って蓋部３２の内部を遮断するようにして蓋部３２の上端に配置される。
このように、ブイ３０では、壁部３８が配置されて形成される蓋部３２内の空間が流入部３６として構成される。
ブイ３０の壁部３８には、貫通孔３９が３つ形成される。
ブイ３０の壁部３８の貫通孔３９は、壁部３８の上方の空間と流入部３６とが連通するように壁部３８に形成される。
ブイ３０は、水や海水が流入孔３７から流入部３６に流入可能に構成される。
ブイ３０の流入孔３７は、蓋部３２の球面部分の外側の面から流入部３６に至るように貫通して形成されて、釣用浮２０の外側の空間と流入部３６と連通するように、形成される。
【００５８】
ブイ３０の電池配置部３５および発光体配置部３４は、その本体部３１において、前記その空洞状の内部で構成される。即ち、ブイ３０の本体部３１における発光体配置部３４は、その上方の部分３３（発光部３０ａ）の内部に及ぶように構成される。
【００５９】
このように構成されたブイ３０に発光装置５を配置する際には、湿式電池１・１・１における吸収体４・４・４の突出部４ａ・４ａ・４ａをブイ３０の蓋部３２における壁部３８の貫通孔３９・３９・３９に嵌挿するようにして、湿式電池１・１・１を配置する。
この時、ブイ３０の蓋部３２は、その壁部３８の上方の空間（電池配置部３５）と流入部３６とが水密に構成されて、蓋部３２に配置された湿式電池１・１・１の陽極２・２・２および陰極３・３・３が蓋部３２の流入部３６に流入した水によって濡れないように構成される。
そして、ブイ３０の蓋部３２で、その本体部３１における下端をその蓋部３２の上端で蓋をするようにして蓋部３２を配置する。この時、ブイ３０の上方の部分３３内に発光装置５・５・５の発光体６・６・６が配置されるように、ブイ３０の本体部３１における電池配置部３５に湿式電池１・１・１を、発光体配置部３４内に発光装置５・５・５の配線や発光体６・６・６を配置する。
ブイ３０は、ブイ３０の本体部３１と蓋部３２とのつなぎ目から水が浸入しないように、水密に構成される。
【００６０】
このように構成されたブイ３０では、これが水中（海中）や水面に投入された際に、水（海水）が、その蓋部３２における流入孔３７から流入部３６に流入する。そして、ブイ３０の蓋部３２における壁部３８の貫通孔３９・３９・３９に嵌挿された前記湿式電池１・１・１における吸収体４・４・４の突出部４ａ・４ａ・４ａが、蓋部３２の流入部３６に流入した水（海水）に浸されて、吸収体４・４・４がこれを吸収する。当該湿式電池１・１・１の吸収体４・４・４によって吸収された水（海水）が電解液となって湿式電池１・１・１が発電を開始して、発光装置５・５・５の発光体６・６・６が発光し、ブイ３０の上方の部分３３（発光部３０ａ）が発光する。
【００６１】
このようにして、ブイ３０では、これが水中（海中）や水面に投入された際に、発光装置５における湿式電池１の吸収体４が容易に水（海水）を吸収することができ、発光装置５の発光体６を発光させることができる。
またこのようにブイ３０を構成することにより、これが水中（海中）や水面に投入された際に、自動的に発光するブイ３０を、簡易構造で実現することができる。
【００６２】
なお、ブイ３０はその上方の部分３３以外の部分が発光するように構成してもよく、全体的に発光するように構成してもよい。即ち、ブイ３０の発光部３０ａは、その上方の部分３３以外の部分やこれを含む部分（例えば、上下中途部）で構成してもよい。
【００６３】
また、ブイ３０は、海面、湖面、川面、または、水面等近傍の所定の位置に固定されて、当該海面等が所定の高さ（例えば、満潮時）になった際に、その流入部３６に水や海水が流入するように構成（例えば、当該海面等が所定の高さになった際に、流入部３６に水や海水が流入するような位置に流入部３６を配置）してもよい。
このように構成されたブイ３０では、前記海面等が所定の高さになった際に、発光装置５における湿式電池１の吸収体４が海水（水）を吸収し、湿式電池１が発電を開始して発光体６が発光し、ブイ３０が発光することとなる。このようブイ３０を構成することにより、前記海面等が所定の高さになった際に、自動的に発光するブイ３０を、簡易構造で実現することができる。
【００６４】
次に、発光装置５（湿式電池１）を備える電灯４０について説明する。
電灯４０は、発光装置５を備える（図８参照）。電灯４０は、雨天時に自動的に点灯するように構成される。なお、係る構成の説明では、前記吸収体４が陽極２および陰極３より突出するように構成される略円柱状の湿式電池１（図２（ａ）参照）を用いられるものとして説明する。また、この際の湿式電池１は、その吸収体４に予め前記電解質を設けて構成される。
【００６５】
電灯４０は、発光部４０ａを備える。電灯４０の発光部４０ａは、その発光装置５の発光体６が発光した際に、電灯４０における発光する部分である。
電灯４０の発光部４０ａは、そのケース４１の上下中途部４２で構成される。
電灯４０におけるケース４１の上下中途部４２は、透明または半透明状に構成される。電灯４０は、発光装置５の発光体６が発光することによって、その上下中途部４２（発光部４０ａ）が発光するように構成される。
【００６６】
電灯４０は、図８に示すように、そのケース４１の上端部４３に貫通孔４９を有する。電灯４０のケース４１の上端部４３における貫通孔４９は、吸収体４の突出部４ａを挿入可能なように形成される。
そして、図８に示すように、湿式電池１の陽極２および陰極３と発光体６とをケース４１内に配置するととともに、湿式電池１における吸収体４の突出部４ａをケース４１の上端部４３の貫通孔４９に嵌挿するようにして、発光装置５を配置する。このようにして、湿式電池１の吸収体４（突出部４ａ）の一部が電灯４０のケース４１の外側に露出するように、発光装置５を配置する。なおこの時、電灯４０は、ケース４１の上端部４３においてその外部と内部とが水密に構成されて、ケース４１内に水が浸入しないように構成される。
【００６７】
このように構成された電灯４０では、雨天時において、雨水によってケース４１の上端部４３の貫通孔４９に嵌挿された前記湿式電池１における吸収体４の突出部４ａが、雨水に浸されて、吸収体４がこれを吸収する。そして、当該湿式電池１の吸収体４によって吸収された水が電解液となって湿式電池１が発電を開始して、発光装置５の発光体６が発光し、ケース４１の上下中途部４２（発光部４０ａ）が発光することとなる。
したがって、電灯４０によれば、雨天時に自動的に点灯する電灯４０を、簡易構造で実現することができる。
【００６８】
なお、電灯４０は、そのケース４１の上下中途部４２以外の部分が発光するように構成してもよく、全体的に発光するように構成してもよい。即ち、電灯４０の発光部４０ａは、そのケース４１の上下中途部４２以外の部分やこれを含む部分（例えば、上下中途部）で構成してもよい。
【符号の説明】
【００６９】
１    湿式電池
２    陽極
３    陰極
４    吸収体
【図１】
2012075407.tif 000003
【図２】
2012075407.tif 000004
【図３】
2012075407.tif 000005
【図４】
2012075407.tif 000006
【図５】
2012075407.tif 000007
【図６】
2012075407.tif 000008
【図７】
2012075407.tif 000009
【図８】
2012075407.tif 000010